(57)【要約】【課題】排出口からの流体排出流量を容易に測定できるようにする。【解決手段】排出口１からの流体排出に伴い排出口部で発生して伝播する超音波Ｓの強度ｐを排出口１から離れた測定場所３で計測するとともに、排出口１から測定場所３までの伝播距離Ｌを計測又は調査し、そして、前記伝播超音波Ｓの強度ｐと前記伝播距離Ｌと前記排出口１からの流体排出流量Ｑとの間に存在する相関関係Ｋａに基づいて、前記計測又は調査した超音波強度ｐと伝播距離Ｌとから排出口１からの流体排出流量Ｑを求める。【選択図】図１
2010197303.tif 000002
【特許請求の範囲】
【請求項１】
排出路の端部に形成した排出口から排出される流体の流量を測定する排出流量測定方法であって、
前記排出口からの流体排出に伴い排出口部で発生して伝播する超音波の強度を前記排出口から離れた測定場所で計測し、
前記伝播超音波の前記測定場所での強度と前記排出口からの流体排出流量との間に存在する相関関係に基づいて、前記計測した超音波強度から前記排出口からの流体排出流量を求める排出流量測定方法。
【請求項２】
排出路の端部に形成した排出口から排出される流体の流量を測定する排出流量測定方法であって、
前記排出口からの流体排出に伴い排出口部で発生して伝播する超音波の強度を前記排出口から離れた測定場所で計測するとともに、
前記排出口から前記測定場所までの伝播距離を計測又は調査し、
前記伝播超音波の強度と前記伝播距離と前記排出口からの流体排出流量との間に存在する相関関係に基づいて、前記計測又は調査した超音波強度と伝播距離とから前記排出口からの流体排出流量を求める排出流量測定方法。
【請求項３】
排出路の端部に形成した排出口から排出される流体の流量を測定する排出流量測定方法であって、
前記排出口からの流体排出に伴い排出口部で発生して伝播する超音波の強度を前記排出口から離れた測定場所で計測するとともに、
前記測定場所への前記伝播超音波の伝播方向が前記排出口からの流体排出方向に対して成す伝播角度を計測又は調査し、
前記伝播超音波の前記測定場所での強度と前記伝播角度と前記排出口からの流体排出流量との間に存在する相関関係に基づいて、前記計測又は調査した超音波強度と伝播角度とから前記排出口からの流体排出流量を求める排出流量測定方法。
【請求項４】
排出路の端部に形成した排出口から排出される流体の流量を測定する排出流量測定方法であって、
前記排出口からの流体排出に伴い排出口部で発生して伝播する超音波の強度を前記排出口から離れた測定場所で計測するとともに、
前記排出口から前記測定場所までの伝播距離、及び、前記測定場所への前記伝播超音波の伝播方向が前記排出口からの流体排出方向に対して成す伝播角度を計測又は調査し、
前記伝播超音波の強度と前記伝播距離と前記伝播角度と前記排出口からの流体排出流量との間に存在する相関関係に基づいて、前記計測又は調査した超音波強度と伝播距離と伝播角度とから前記排出口からの流体排出流量を求める排出流量測定方法。
【請求項５】
超音波強度を計測するためのマイクロホンを前記排出口に向けた状態で前記伝播超音波の強度を前記測定場所において計測し、
この超音波強度計測のときの前記マイクロホンの向きと、計測又は調査した前記排出口からの流体排出向きとから前記伝播角度を求める請求項３又は４記載の排出流量測定方法。
【請求項６】
計測端を前記排出口に向けた状態で前記排出口までの距離を計測する距離計測器を用いて前記伝播距離を前記測定場所において計測し、
この距離計測のときの前記計測端の向きと、計測又は調査した前記排出口からの流体排出向きとから前記伝播角度を求める請求項４記載の排出流量測定方法。
【請求項７】
排出路の端部に形成した排出口から排出される流体の流量を測定する排出流量測定装置であって、
前記排出口からの流体排出に伴い排出口部で発生して伝播する超音波の強度を前記排出口から離れた測定場所において計測する超音波計測手段と、
前記伝播超音波の前記測定場所での強度と前記排出口からの流体排出流量との間に存在する相関関係を記憶させる記憶手段と、
前記測定場所で前記超音波計測手段により計測した前記超音波強度から、前記記憶手段に記憶させた前記相関関係に基づいて前記排出口からの流体排出流量を演算する演算手段と、
この演算手段により演算した前記排出口からの流体排出流量を測定結果として出力する出力手段とを備えている排出流量測定装置。
【請求項８】
排出路の端部に形成した排出口から排出される流体の流量を測定する排出流量測定装置であって、
前記排出口からの流体排出に伴い排出口部で発生して伝播する超音波の強度を前記排出口から離れた測定場所において計測する超音波計測手段と、
前記伝播超音波の強度と前記排出口から前記測定場所までの伝播距離と前記排出口からの流体排出流量との間に存在する相関関係を記憶させる記憶手段と、
前記測定場所で前記超音波計測手段により計測した前記超音波強度と入力部に入力される前記伝播距離とから、前記記憶手段に記憶させた前記相関関係に基づいて前記排出口からの流体排出流量を演算する演算手段と、
この演算手段により演算した前記排出口からの流体排出流量を測定結果として出力する出力手段とを備えている排出流量測定装置。
【請求項９】
排出路の端部に形成した排出口から排出される流体の流量を測定する排出流量測定装置であって、
前記排出口からの流体排出に伴い排出口部で発生して伝播する超音波の強度を前記排出口から離れた測定場所において計測する超音波計測手段と、
前記伝播超音波の前記測定場所での強度と前記測定場所への前記伝播超音波の伝播方向が前記排出口からの流体排出方向に対して成す伝播角度と前記排出口からの流体排出流量との間に存在する相関関係を記憶させる記憶手段と、
前記測定場所で前記超音波計測手段により計測した前記超音波強度と入力部に入力される前記伝播角度とから、前記記憶手段に記憶させた前記相関関係に基づいて前記排出口からの流体排出流量を演算する演算手段と、
この演算手段により演算した前記排出口からの流体排出流量を測定結果として出力する出力手段とを備えている排出流量測定装置。
【請求項１０】
排出路の端部に形成した排出口から排出される流体の流量を測定する排出流量測定装置であって、
前記排出口からの流体排出に伴い排出口部で発生して伝播する超音波の強度を前記排出口から離れた測定場所において計測する超音波計測手段と、
前記伝播超音波の強度と前記排出口から前記測定場所までの伝播距離と前記測定場所への前記伝播超音波の伝播方向が前記排出口からの流体排出方向に対して成す伝播角度と前記排出口からの流体排出流量との間に存在する相関関係を記憶させる記憶手段と、
前記測定場所で前記超音波計測手段により計測した前記超音波強度と入力部に入力される前記伝播距離及び前記伝播角度とから、前記記憶手段に記憶させた前記相関関係に基づいて前記排出口からの流体排出流量を演算する演算手段と、
この演算手段により演算した前記排出口からの流体排出流量を測定結果として出力する出力手段とを備えている排出流量測定装置。
【請求項１１】
請求項７〜１０のいずれか１項に記載した排出流量測定装置の利用方法であって、
前記排出口からの流体排出に伴い排出口部で発生して伝播する超音波の強度を前記測定場所で前記超音波計測手段により計測して、その計測により得られる超音波強度に基づき前記排出口からの流体排出流量を前記演算手段に演算させる排出流量測定モードと、
流体漏洩の発生によりその漏洩部で発生する超音波の強度を前記超音波計測手段の移動又は姿勢変化に伴い前記超音波計測手段により計測して、その計測により得られる漏洩部発生超音波の強度に基づき前記漏洩部を探査する漏洩部探査モードとの選択的な実施が可能な装置構成して、
それら排出流量測定モードと漏洩部探査モードとを選択的に実施する排出流量測定装置の利用方法。
【請求項１２】
請求項７〜１０のいずれか１項に記載した排出流量測定装置の利用方法であって、
前記排出口からの流体排出に伴い排出口部で発生して伝播する超音波の強度を前記測定場所で前記超音波計測手段により計測して、その計測により得られる超音波強度に基づき前記排出口からの流体排出流量を前記演算手段に演算させる排出流量測定モードと、
流体漏洩の発生によりその漏洩部で発生する超音波の強度を前記超音波計測手段により計測して、その計測により得られる漏洩部発生超音波の強度に基づき前記漏洩部での流体漏洩流量を前記演算手段に演算させる漏洩流量測定モードとの選択的な実施が可能な装置構成して、
それら排出流量測定モードと漏洩流量測定モードとを選択的に実施する排出流量測定装置の利用方法。
【発明の詳細な説明】
【技術分野】
【０００１】
本発明は、排出路の端部に形成した排出口から各種流体を排出する工場などの施設においてその排出口から排出される流体の流量を測定する排出流量測定方法、及び、排出流量測定装置、並びに、その排出流量測定装置の利用方法に関する。
【背景技術】
【０００２】
流量計については従来、各種形式のものが知られているが、その多くは管路の途中に介装する方式であり（特許文献１参照）、これらの流量計は、介装流量計が流路抵抗となって移送流体の圧力損失が大きくなる、また、既設の管路に介装するのに流体移送を停止する必要がある、さらにまた、必要箇所に適宜移動して流量測定を行なうことができないなどの問題がある。
【０００３】
また、超音波伝播時間やドップラー効果を利用する超音波流量計など、一部には管路外部からの流量測定が可能なものもあるが（特許文献２参照）、それにしても装置類の管路への取り付けが必要であるため、その取り付けに手間を要し、殊に測定対象箇所が高所にあるなど近付き難い位置にある場合には取り付け作業に多大な手間と工費を要する問題があった。
【先行技術文献】
【特許文献】
【０００４】
【特許文献１】特開平５−１４２０１０号公報
【特許文献２】特開昭５８−４８８１７号公報
【発明の概要】
【発明が解決しようとする課題】
【０００５】
上記実情に鑑み、本発明の主たる課題は、排出路の端部に形成した排出口から排出される流体の流量をその排出口の位置に制約されることなく排出路の外部から極めて容易に測定することができる排出流量測定方法及び排出流量測定装置を提供する点にあり、また、その排出流量測定装置の利用価値を高めることができる排出流量測定装置の利用方法を併せて提供する点にある。
【課題を解決するための手段】
【０００６】
本発明の第１特徴構成は排出流量測定方法に係り、その特徴は、
排出路の端部に形成した排出口から排出される流体の流量を測定する排出流量測定方法であって、
前記排出口からの流体排出に伴い排出口部で発生して伝播する超音波の強度を前記排出口から離れた測定場所で計測し、
前記伝播超音波の前記測定場所での強度と前記排出口からの流体排出流量との間に存在する相関関係に基づいて、前記計測した超音波強度から前記排出口からの流体排出流量を求める点にある。
【０００７】
つまり、排出路端部の排出口から排出される流体の流量について研究したところ、排出口からの流体排出流量とその流体排出に伴い排出口部で発生して伝播する超音波の強度との間には相関があり、定性的には排出流体の流量が大きくなるほど超音波強度も大きくなる。
【０００８】
したがって、排出口から離れた適当な測定場所での上記伝播超音波の強度と排出口からの流体排出流量との間に存在する相関関係を実験等により求めるようにすれば、上記の如く、伝播超音波の強度を測定場所で計測して、この計測した超音波強度から前記相関関係に基づいて排出口からの流体排出流量を求めることができる。
【０００９】
即ち、この測定方法によれば、排出路への装置類の介装や取り付けを要することなく排出口からの流体排出流量を測定することができて、排出口が高所にあるなど近付き難い位置にある場合にも排出口からの流体排出流量を容易に測定することができ、また、排出路途中に装置類を介装することに原因する移送流体の圧力損失の増大なども回避することができる。
【００１０】
そしてまた、排出路への装置類の取り付けが不要であるから、測定装置類を可搬式にして、異なる測定必要箇所や測定に都合のいい箇所へ適宜移動して排出口からの流体排出流量を測定できるようにすることも容易に実現することができる。
【００１１】
さらに、超音波強度の計測による流量測定であるから、排出口からの排出流体の温度の影響を受けることも少なく、排出口からの排出流体が高温流体である場合などでも排出口からの流体排出流量を正確かつ容易に測定することができる。
【００１２】
本発明の第２特徴構成は排出流量測定方法に係り、その特徴は、
排出路の端部に形成した排出口から排出される流体の流量を測定する排出流量測定方法であって、
前記排出口からの流体排出に伴い排出口部で発生して伝播する超音波の強度を前記排出口から離れた測定場所で計測するとともに、
前記排出口から前記測定場所までの伝播距離を計測又は調査し、
前記伝播超音波の強度と前記伝播距離と前記排出口からの流体排出流量との間に存在する相関関係に基づいて、前記計測又は調査した超音波強度と伝播距離とから前記排出口からの流体排出流量を求める点にある。
【００１３】
つまり、この測定方法によれば前記第１特徴構成の測定方法と共通する部分において第１特徴構成の測定方法と基本的に同様の効果を得ることができる。
【００１４】
また加えて、この測定方法によれば、測定場所で計測した伝播超音波の強度と計測又は調査した伝播距離とから、超音波強度と伝播距離と流体排出流量との間の上記相関関係に基づいて排出口からの流体排出流量を求めるから、排出口から測定場所までの伝播距離の異なりにも柔軟に対応して排出口からの流体排出流量を容易に測定することができる。
【００１５】
即ち、排出口から測定場所までの伝播距離（換言すれば、排出口と測定場所との間の離間距離）が種々異なる場合にも、その伝播距離の異なりにかかわらず排出口からの流体排出流量を正確かつ容易に測定することができ、この点で汎用性や利便性に一層優れた排出流量測定方法にすることができる。
【００１６】
そしてまた、このように伝播距離の異なりにも柔軟に対応できることで、測定装置類を可搬式にして、異なる測定必要箇所や測定に都合のいい箇所へ適宜移動して排出口からの流体排出流量を測定できるようにすることも一層容易にまた一層効果的に実現することができる。
【００１７】
なお、伝播距離はどのような方法で計測又は調査してもいいが、排出口が近付き難い位置にある場合には、計測端を排出口に向けた状態で排出口までの距離を計測する方式の距離計測器を用いて計測したり、施設の配管図などを用いて調査したり、また場合によっては目測により計測するなどすればよい。
【００１８】
本発明の第３特徴構成は排出流量測定方法に係り、その特徴は、
排出路の端部に形成した排出口から排出される流体の流量を測定する排出流量測定方法であって、
前記排出口からの流体排出に伴い排出口部で発生して伝播する超音波の強度を前記排出口から離れた測定場所で計測するとともに、
前記測定場所への前記伝播超音波の伝播方向が前記排出口からの流体排出方向に対して成す伝播角度を計測又は調査し、
前記伝播超音波の前記測定場所での強度と前記伝播角度と前記排出口からの流体排出流量との間に存在する相関関係に基づいて、前記計測又は調査した超音波強度と伝播角度とから前記排出口からの流体排出流量を求める点にある。
【００１９】
つまり、この測定方法によれば前記第１特徴構成の測定方法と共通する部分において第１特徴構成の測定方法と基本的に同様の効果を得ることができる。
【００２０】
また加えて、この測定方法によれば、測定場所で計測した伝播超音波の強度と計測又は調査した伝播角度とから、超音波強度と伝播角度と流体排出流量との間の上記相関関係に基づいて排出口からの流体排出流量を求めるから、伝播角度の異なりにも柔軟に対応して排出口からの流体排出流量を容易に測定することができる。
【００２１】
即ち、測定場所への伝播超音波の伝播方向が排出口からの流体排出方向に対して成す伝播角度（換言すれば、測定場所への伝播超音波の伝播方向と排出口からの流体排出方向との交差角度）が種々異なる場合にも、その伝播角度の異なりにかかわらず排出口からの流体排出流量を正確かつ容易に測定することができ、この点で汎用性や利便性に一層優れた排出流量測定方法にすることができる。
【００２２】
そしてまた、このように伝播角度の異なりにも柔軟に対応できることで、測定装置類を可搬式にして、異なる測定必要箇所や測定に都合のいい箇所へ適宜移動して排出口からの流体排出流量を測定できるようにすることも一層容易にまた一層効果的に実現することができる。
【００２３】
なお、伝播角度はどのような方法で計測又は調査してもいいが、排出口が近付き難い位置にある場合には、施設の配管図などを用いて調査したり、三角測量器ないし方位角計や仰角計などを用いて計測したり、場合によっては目測により計測するなどすればよい。
【００２４】
本発明の第４特徴構成は排出流量測定方法に係り、その特徴は、
排出路の端部に形成した排出口から排出される流体の流量を測定する排出流量測定方法であって、
前記排出口からの流体排出に伴い排出口部で発生して伝播する超音波の強度を前記排出口から離れた測定場所で計測するとともに、
前記排出口から前記測定場所までの伝播距離、及び、前記測定場所への前記伝播超音波の伝播方向が前記排出口からの流体排出方向に対して成す伝播角度を計測又は調査し、
前記伝播超音波の強度と前記伝播距離と前記伝播角度と前記排出口からの流体排出流量との間に存在する相関関係に基づいて、前記計測又は調査した超音波強度と伝播距離と伝播角度とから前記排出口からの流体排出流量を求める点にある。
【００２５】
つまり、この測定方法によれば前記第１特徴構成の測定方法と共通する部分において第１特徴構成の測定方法と基本的に同様の効果を得ることができ、また、これに加え、前記第２特徴構成による測定方法と前記第３特徴構成による測定方法とを組合せ実施する形態にして、伝播距離の異なりと伝播角度の異なりとの両方に対し柔軟に対応することができ、汎用性や利便性にさらに優れた排出流量測定方法にすることができる。
【００２６】
なお、第１〜第４特徴構成の測定方法を実施するのに、それら測定方法で用いる各々の相関関係は、測定場所での超音波強度などの計測や調査に先立ち、他所での実験等により予め求めておくようにするのが望ましい。
【００２７】
本発明の第５特徴構成は、第３又は第４特徴構成の排出流量測定方法の実施に好適な実施形態を特定するものであり、その特徴は、
超音波強度を計測するためのマイクロホンを前記排出口に向けた状態で前記伝播超音波の強度を前記測定場所において計測し、
この超音波強度計測のときの前記マイクロホンの向きと、計測又は調査した前記排出口からの流体排出向きとから前記伝播角度を求める点にある。
【００２８】
つまり、この測定方法によれば、測定場所において伝播超音波の強度を計測するときのマイクロホンの向きを利用して前記伝播角度を求めるから、測定作業の作業工数ないし測定機器類の機器数を減らすことができて、測定作業を一層容易にすることができる。
【００２９】
本発明の第６特徴構成は、第４特徴構成の排出流量測定方法の実施に好適な実施形態を特定するものであり、その特徴は、
計測端を前記排出口に向けた状態で前記排出口までの距離を計測する距離計測器を用いて前記伝播距離を前記測定場所において計測し、
この距離計測のときの前記計測端の向きと、計測又は調査した前記排出口からの流体排出向きとから前記伝播角度を求める点にある。
【００３０】
つまり、この測定方法によれば、測定場所において伝播距離を計測するときの距離計測器の計測端の向きを利用して前記伝播角度を求めるから、測定作業の作業工数ないし測定機器類の機器数を減らすことができて、測定作業を一層容易にすることができる。
【００３１】
本発明の第７特徴構成は排出流量測定装置に係り、その特徴は、
排出路の端部に形成した排出口から排出される流体の流量を測定する排出流量測定装置であって、
前記排出口からの流体排出に伴い排出口部で発生して伝播する超音波の強度を前記排出口から離れた測定場所において計測する超音波計測手段と、
前記伝播超音波の前記測定場所での強度と前記排出口からの流体排出流量との間に存在する相関関係を記憶させる記憶手段と、
前記測定場所で前記超音波計測手段により計測した前記超音波強度から、前記記憶手段に記憶させた前記相関関係に基づいて前記排出口からの流体排出流量を演算する演算手段と、
この演算手段により演算した前記排出口からの流体排出流量を測定結果として出力する出力手段とを備えている点にある。
【００３２】
つまり、この測定装置を用いれば、前記第１特徴構成の測定方法を実施して第１特徴構成の測定方法による前述効果を得ることができる。
【００３３】
また、この測定装置によれば、上記相関関係に基づく流体排出流量の演算を演算手段により自動的に行なうから、排出口からの流体排出流量の測定を一層容易に能率良く行なうことができる。
【００３４】
本発明の第８特徴構成は排出流量測定装置に係り、その特徴は、
排出路の端部に形成した排出口から排出される流体の流量を測定する排出流量測定装置であって、
前記排出口からの流体排出に伴い排出口部で発生して伝播する超音波の強度を前記排出口から離れた測定場所において計測する超音波計測手段と、
前記伝播超音波の強度と前記排出口から前記測定場所までの伝播距離と前記排出口からの流体排出流量との間に存在する相関関係を記憶させる記憶手段と、
前記測定場所で前記超音波計測手段により計測した前記超音波強度と入力部に入力される前記伝播距離とから、前記記憶手段に記憶させた前記相関関係に基づいて前記排出口からの流体排出流量を演算する演算手段と、
この演算手段により演算した前記排出口からの流体排出流量を測定結果として出力する出力手段とを備えている点にある。
【００３５】
つまり、この測定装置を用いれば、前記第２特徴構成の測定方法を実施して第２特徴構成の測定方法による前述効果を得ることができる。
【００３６】
また、この測定装置によれば、上記相関関係に基づく流体排出流量の演算を演算手段により自動的に行なうから、排出口からの流体排出流量の測定を一層容易に能率良く行なうことができる。
【００３７】
なお、入力部に入力する伝播距離は、第２特徴構成の測定方法の場合と同様、どのような方法で計測又は調査してもいいが、排出口が近付き難い位置にある場合には、計測端を排出口に向けた状態で排出口までの距離を計測する方式の距離計測器を用いて計測したり、施設の配管図などを用いて調査したり、また場合によっては目測により計測するなどすればよい。
【００３８】
また、距離計測器を用いて伝播距離を計測する場合、計測結果としての伝播距離が距離計測器から上記入力部に自動的に入力されるようにしてもよい。
【００３９】
本発明の第９特徴構成は排出流量測定装置に係り、その特徴は、
排出路の端部に形成した排出口から排出される流体の流量を測定する排出流量測定装置であって、
前記排出口からの流体排出に伴い排出口部で発生して伝播する超音波の強度を前記排出口から離れた測定場所において計測する超音波計測手段と、
前記伝播超音波の前記測定場所での強度と前記測定場所への前記伝播超音波の伝播方向が前記排出口からの流体排出方向に対して成す伝播角度と前記排出口からの流体排出流量との間に存在する相関関係を記憶させる記憶手段と、
前記測定場所で前記超音波計測手段により計測した前記超音波強度と入力部に入力される前記伝播角度とから、前記記憶手段に記憶させた前記相関関係に基づいて前記排出口からの流体排出流量を演算する演算手段と、
この演算手段により演算した前記排出口からの流体排出流量を測定結果として出力する出力手段とを備えている点にある。
【００４０】
つまり、この測定装置を用いれば、前記第３特徴構成の測定方法を実施して第３特徴構成の測定方法による前述効果を得ることができる。
【００４１】
また、この測定装置によれば、上記相関関係に基づく流体排出流量の演算を演算手段により自動的に行なうことから、排出口からの流体排出流量の測定を一層容易に能率良く行なうことができる。
【００４２】
なお、入力部に入力する伝播角度は、前記第３特徴構成の測定方法の場合と同様、どのような方法で計測又は調査してもいいが、排出口が近付き難い位置にある場合には、施設の配管図などを用いて調査したり、三角測量器ないし方位角計や仰角計などを用いて計測したり、場合によっては目測により計測するなどすればよい。
【００４３】
また、伝播角度相当の情報として測定場所への伝播超音波の伝播方向と排出口からの流体排出方向とを入力部に入力し、これら入力情報から流体排出流量の演算に用いる前記伝播角度を演算手段自身に演算させるようにしてもよい。
【００４４】
本発明の第１０特徴構成は排出流量測定装置に係り、その特徴は、
排出路の端部に形成した排出口から排出される流体の流量を測定する排出流量測定装置であって、
前記排出口からの流体排出に伴い排出口部で発生して伝播する超音波の強度を前記排出口から離れた測定場所において計測する超音波計測手段と、
前記伝播超音波の強度と前記排出口から前記測定場所までの伝播距離と前記測定場所への前記伝播超音波の伝播方向が前記排出口からの流体排出方向に対して成す伝播角度と前記排出口からの流体排出流量との間に存在する相関関係を記憶させる記憶手段と、
前記測定場所で前記超音波計測手段により計測した前記超音波強度と入力部に入力される前記伝播距離及び前記伝播角度とから、前記記憶手段に記憶させた前記相関関係に基づいて前記排出口からの流体排出流量を演算する演算手段と、
この演算手段により演算した前記排出口からの流体排出流量を測定結果として出力する出力手段とを備えている点にある。
【００４５】
つまり、この測定装置を用いれば、前記第４特徴構成の測定方法を実施して第４特徴構成の測定方法による前述効果を得ることができる。
【００４６】
また、この測定装置によれば、上記相関関係に基づく流体排出流量の演算を演算手段により自動的に行なうことから、排出口からの流体排出流量の測定を一層容易に能率良く行なうことができる。
【００４７】
なお、入力部に入力する伝播距離は、前記第８特徴構成の測定装置と同様、どのような方法で計測又は調査してもいいが、排出口が近付き難い位置にある場合には、計測端を排出口に向けた状態で排出口までの距離を計測する方式の距離計測器を用いて計測したり、施設の配管図などを用いて調査したり、また場合によっては目測により計測するなどすればよい。
【００４８】
距離計測器を用いて伝播距離を計測する場合、計測結果としての伝播距離が距離計測器から上記入力部に自動的に入力されるようにしてもよい。
【００４９】
また、入力部に入力する伝播角度は、前記第９特徴構成の測定装置と同様、どのような方法で計測又は調査してもいいが、排出口が近付き難い位置にある場合には、施設の配管図などを用いて調査したり、三角測量器ないし方位角計や仰角計などを用いて計測したり、場合によっては目測により計測するなどすればよい。
【００５０】
伝播角度相当の情報として測定場所への伝播超音波の伝播方向と排出口からの流体排出方向とを入力部に入力し、これら入力情報から流体排出流量の演算に用いる前記伝播角度を演算手段自身に演算させるようにしてもよい。
【００５１】
本発明の第１１特徴構成は、第７〜第１０特徴構成のいずれかによる排出流量測定装置の利用方法に係り、その特徴は、
前記排出口からの流体排出に伴い排出口部で発生して伝播する超音波の強度を前記測定場所で前記超音波計測手段により計測して、その計測により得られる超音波強度に基づき前記排出口からの流体排出流量を前記演算手段に演算させる排出流量測定モードと、
流体漏洩の発生によりその漏洩部で発生する超音波の強度を前記超音波計測手段の移動又は姿勢変化に伴い前記超音波計測手段により計測して、その計測により得られる漏洩部発生超音波の強度に基づき前記漏洩部を探査する漏洩部探査モードとの選択的な実施が可能な装置構成して、
それら排出流量測定モードと漏洩部探査モードとを選択的に実施する点にある。
【００５２】
つまり、この利用方法では、上記排出流量測定モードを選択した場合、前記第７〜第１０特徴構成のいずれかによる排出流量測定装置を前述の如き本来の使用形態で使用（即ち、前記第１〜第６特徴構成のいずれかによる測定方法を実施）して、排出口からの流体排出流量を測定する。
【００５３】
一方、上記漏洩部探査モードを選択した場合では、超音波計測手段を移動又は姿勢変化させながら漏洩部での発生超音波の強度をその超音波計測手段により計測することで、超音波計測手段の移動又は姿勢変化による計測超音波強度の変化を捕らえて、その変化パターンから漏洩部を探査するといった形態で、漏洩部発生超音波の強度に基づき漏洩部を探査する。即ち、この漏洩部探査モードを選択すれば、配管やタンクに生じたピンホールあるいは配管接続部における接続不良部分などの微小な流体漏洩部も容易に発見することができる。
【００５４】
そして、このように本来の排出流量測定モードとそれとは異なる目的で超音波強度の計測機能を利用する漏洩部探査モードとを必要に応じ適宜選択する使用形態を採ることで、第７〜第１０特徴構成による排出流量測定装置の利用価値を高めることができ、装置利用者にとって利便性の一層高い測定装置にすることができる。
【００５５】
本発明の第１２特徴構成は、第７〜第１０特徴構成のいずれかによる排出流量測定装置の利用方法に係り、その特徴は、
前記排出口からの流体排出に伴い排出口部で発生して伝播する超音波の強度を前記測定場所で前記超音波計測手段により計測して、その計測により得られる超音波強度に基づき前記排出口からの流体排出流量を前記演算手段に演算させる排出流量測定モードと、
流体漏洩の発生によりその漏洩部で発生する超音波の強度を前記超音波計測手段により計測して、その計測により得られる漏洩部発生超音波の強度に基づき前記漏洩部での流体漏洩流量を前記演算手段に演算させる漏洩流量測定モードとの選択的な実施が可能な装置構成して、
それら排出流量測定モードと漏洩流量測定モードとを選択的に実施する点にある。
【００５６】
つまり、この利用方法では、上記排出流量測定モードを選択した場合、前記第７〜第１０特徴構成のいずれかによる排出流量測定装置を前述の如き本来の使用形態で使用（即ち、前記第１〜第６特徴構成のいずれかによる測定方法を実施）して、排出口からの流体排出流量を測定する。
【００５７】
一方、上記漏洩流量測定モードを選択した場合では、漏洩部での発生超音波の強度を超音波計測手段により計測することで、漏洩部発生超音波の強度と漏洩部での流体漏洩流量との間に存在する相関関係に計測超音波強度を照らして漏洩部での流体漏洩流量を求めるといった形態で、漏洩部発生超音波の強度に基づき漏洩部での流体漏洩流量を演算手段に演算させる。即ち、この漏洩流量測定モードを選択すれば、配管やタンクに生じたピンホールあるいは配管接続部における接続不良部分などの微小な流体漏洩部での流体漏洩流量を容易に測定することができる。
【００５８】
そして、このように本来の排出流量測定モードとそれとは異なる目的で超音波強度の計測機能及び演算機能を利用する漏洩流量測定モードとを必要に応じ適宜選択する使用形態を採ることで、第７〜第１０特徴構成よる排出流量測定装置の利用価値を高めることができ、装置利用者にとって利便性の一層高い測定装置にすることができる。
【００５９】
なお、第１１又は第１２特徴構成の装置利用方法を実施するにあたり、排出流量測定モードと漏洩部探査モードとの選択的な実施、並びに、排出流量測定モードと漏洩流量測定モードとの選択な実施を可能にするには、例えば、超音波計測手段の計測感度や計測周波数帯の変更を可能にする、また、演算手段の演算プログラムの変更を可能にする、あるいはまた、記憶手段の記憶情報の変更を可能にする、さらにまた、装置の一部ハード構成を交換するなど、モード選択のための種々の切り換え構成を採用することができる。
【００６０】
また、演算プログラムや記憶情報の変更を可能にする場合には、複数種の演算プログラムや複数種の記憶情報を予め測定装置に入力しておき、それらの中からモード選択の際に使用演算プログラムや使用記憶情報を選択する方式、あるいは、モード選択の際に新たな演算プログラムや記憶情報を入力する方式なども採用することができる。
【００６１】
モード選択として、排出流量測定モードと漏洩部探査モードと漏洩流量測定モードとの３つのモードの選択的な実施を可能にして第１１特徴構成による装置利用方法と第１２特徴構成による装置利用方法とを組み合わせ実施する形態を採れば、排出流量測定装置の利用価値及び利便性を一層高めることができる。
【００６２】
以上の第１〜第６特徴構成のいずれかによる排出流量測定方法の実施、あるいは、第７〜第１０特徴構成のいずれかによる排出流量測定装置の実施、あるいは、第１１又は第１２特徴構成による排出流量測定装置の利用方法の実施にあたり、それらの実施で使用する前記相関関係は数式的な表現形態のものやデータテーブル的な表現形態のものなど、どのような表現形態のものであってもよい。
【００６３】
また、測定場所は排出口を臨める位置であればどのような位置であってもよいが、排出口からの排出流体自体や排出口の構造自体が測定の制約になる場合には、測定場所を排出口からの流体排出方向に対して交差する方向にある位置にするのが望ましく、特に排出口からの流体排出方向に対して直交する方向にある位置にするのが望ましい。
【００６４】
測定対象である排出口からの排出流体は気体あるいは気体と液体との混合流体、あるいはまた、気体と粉状固形物との混合流体などのいずれであってもよく、また、それら気体は湿り気体あるいは乾き気体のいずれであってもよい。
【図面の簡単な説明】
【００６５】
【図１】排出流量測定の実施状態を示す斜視図
【図２】測定場所の位置関係を示す概略立面図と概略平面図
【図３】測定器及び距離計測器の平面図
【図４】漏洩部探索及び漏洩流量測定の実施状態を示す斜視図
【発明を実施するための形態】
【００６６】
図１は屋外に設けられた排出口１から排出される気体Ｇ（例えば大気中へ放散させる工場排気など）の排出流量Ｑを測定している状態を示し、排出口１は縦姿勢に施設された排出管２（排出路）の先端に形成されている。
【００６７】
排出管２内への雨水の侵入を防ぐため、排出管２の上端部２ａは斜向きに屈折させてあり、排出口１は、その開口面がほぼ鉛直姿勢で排出管上端部２ａの屈折方向の側に向くように排出管上端部２ａの先端をその管軸芯Ｘに対し斜めに切断して形成されている。
【００６８】
排出口１が高位置にあるため排出流量Ｑの測定は図２（ａ）に示す如く排出口１を仰ぐ状態で行なう状況にあり、本例では図２（ｂ）に示す如く排出口１からの気体排出方向Ｘ（即ち、屈折させた排出管上端部２ａの管軸芯方向）に対して平面視で直交する方向Ｙの下方位置を測定場所３として測定作業を行なっている。
【００６９】
測定は携帯式の測定器４と携帯式の距離計測器５とを用いて測定場所３で行うが、図３（ａ）に示す如く測定器４には、排出口１からの気体排出に伴いその排出口部で発生して伝播する超音波Ｓの強度ｐ（換言すれば、音圧）を計測する超音波計測部６を設けてあり、この超音波計測部６は指向性マイクロホン６ａとこのマイクロホン６ａの超音波受信信号を電気的に処理する処理部６ｂとからなる。
【００７０】
マイクロホン６ａは測定器４の先端部に設けてあり、その指向中心軸線は測定器４の前方向きになっている。
【００７１】
処理部６ａは、超音波強度の計測処理としてマイクロホン６ａで受信した超音波Ｓの強度ｐをデジタル化するとともに、そのデジタル化した計測結果としての超音波強度ｐを測定器４の表示部（図示省略）に表示し、また、その計測した超音波強度ｐに応じた音量の可聴音を生成してイヤホンなどに出力する。
【００７２】
つまり、排出口１からの上記伝播超音波Ｓの強度ｐを計測するにあたっては、測定場所３においてマイクロホン６ａを概ね排出口１に向けた状態で表示部の表示やイヤホン出力などによりそのときの受信超音波Ｓの強度ｐを確認しながら測定器４を徐々に向き変化（即ち、マイクロホン６ａを徐々に向き変化）させる。
【００７３】
そして、この向き変化において受信超音波Ｓの強度ｐが最も大きくなった向き（即ち、マイクロホン６ａの指向中心軸線が排出口１を指す向き）を計測向きとし、その向きでの受信超音波Ｓの強度ｐを上記伝播超音波の計測強度とする。
【００７４】
測定器４には、超音波計測部６や表示部の他、測定に必要な各種情報を記憶する記憶部７、各種演算を行なう演算部８、各種操作を行う操作部９を設けてあり、記憶部７には、排出口１からの伝播超音波Ｓの強度ｐと排出口１から測定場所３までの伝播距離Ｌと排出口１からの気体排出流量Ｑとの間に存在する相関関係Ｋｂを記憶させてある。
【００７５】
この相関関係Ｋｂは実験等により求めたものを数式的な形態やデータテーブル的な形態で測定器４の記憶部７に予め記憶させたものである。
【００７６】
距離計測器５は上記伝播距離Ｌを計測するのに用い、図３（ｂ）に示す先端部の計測端５ａを対象物に向けた状態でその対象物までの距離を計測するレーザー方式などの距離計測器５を用いている。
【００７７】
つまり、測定場所３において距離計測器５の計測端５ａを排出口１に向けた状態で排出口１までの距離を計測することで上記伝播距離Ｌを計測する。そして、計測した伝播距離Ｌは測定器４の入力部としての操作部９において入力操作することで測定器４に入力する。
【００７８】
測定器４の演算部８は、伝播距離Ｌが測定器４に入力され、また、測定場所３での超音波強度ｐの計測が完了すると、それら計測した超音波強度ｐと伝播距離Ｌとから記憶部７に記憶の前記相関関係Ｋｂに基づいて排出口１からの気体排出流量Ｑを演算し、この演算した気体排出流量Ｑを出力部としての測定器４の表示部に数値表示する。
【００７９】
即ち、ここまでについて本例では、排出路２の端部に形成した排出口１から排出される流体Ｇの流量Ｑを測定する排出流量測定方法として、
排出口１からの流体排出に伴い排出口部で発生して伝播する超音波Ｓの強度ｐを排出口１から離れた測定場所３で計測するとともに、
排出口１から測定場所３までの伝播距離Ｌを計測又は調査し、
そして、前記伝播超音波Ｓの強度ｐと前記伝播距離Ｌと前記排出口１からの流体排出流量Ｑとの間に存在する相関関係Ｋｂに基づいて、前記計測又は調査した超音波強度ｐと伝播距離Ｌとから排出口１からの流体排出流量Ｑを求めるようにしている。
【００８０】
ここで、排出流量測定としてより高い測定精度が必要な場合は、上記測定器４の表示部に測定結果として表示される気体排出流量Ｑに対し伝播角度θについての補正を加えるようにしてもよい。
【００８１】
つまり、測定場所３への伝播超音波Ｓの伝播方向Ｙが排出口１からの気体排出方向Ｘに対して成す伝播角度θを計測又は調査し、その伝播角度θに応じた補正を上記測定器４の表示部に表示された気体排出流量Ｑに施し、この補正後の気体排出流量Ｑ′（＝Ｑ×補正関数ｆ（θ））を最終の測定結果とする。
【００８２】
この伝播角度θに関する補正について、本例では前述の如く排出口１からの気体排出方向Ｘ（屈折させた排出管上端部２ａの管軸芯方向）に対して平面視で直交する方向Ｙの下方位置を測定場所３としていることから伝播角度θを求めるのに次のようにしている。
【００８３】
測定場所３において距離計測器５の先端計測端５ａを排出口１に向けた状態で伝播距離Ｌを計測する際に、距離計測器５の計測端５ａの仰角αを併せて計測する。
【００８４】
又は、測定場所３において測定器４の先端マイクロホン６ａを排出口１に向けた状態で伝播超音波Ｓの強度ｐを計測する際に、マイクロホン６ａの仰角αを併せて計測する。
【００８５】
一方、施設の配管図を参照するなどして排出口１からの気体Ｇの排出向きＸを調査し、この調査した気体排出向きＸと上記の計測仰角α（即ち、測定場所３への超音波伝播方向Ｙに相当）とに基づいて伝播角度θを求める。
【００８６】
そして、測定器４の表示部に測定結果として表示された気体排出流量Ｑに対し、この伝播角度θに応じた補正を加え、この補正後の気体排出流量Ｑ′（＝Ｑ×補正関数ｆ（θ））を最終の測定結果とする。
【００８７】
ここでは、測定器４の表示部に測定結果として表示された気体排出流量Ｑに対して伝播角度θに応じた補正を別途に施す例を示したが、これに代え、この補正と同等の機能を測定器４に備えさせてもよい。
【００８８】
つまり、前記測定器４において、記憶部７に記憶させる相関関係を、伝播超音波Ｓの強度ｐと伝播距離Ｌと伝播角度θと排出口１からの流体排出流量Ｑとの間に存在する相関関係Ｋｄにする。
【００８９】
また演算部８を、測定場所３で超音波計測部６により計測した超音波強度ｐと入力部としての操作部９に入力される伝播距離Ｌ及び伝播角度θとから、記憶部７に記憶の上記相関関係Ｋｄに基づいて排出口１からの気体排出流量Ｑを演算するものにする。
【００９０】
即ち、伝播角度θについて別途に補正を施す方式、あるいは、この補正と同等の機能を測定器４に備えさせる方式のいずれにしても、排出路２の端部に形成した排出口１から排出される流体Ｇの流量Ｑ′を測定する排出流量測定方法としては、
排出口１からの流体排出に伴い排出口部で発生して伝播する超音波Ｓの強度ｐを排出口１から離れた測定場所３で計測するとともに、
排出口１から測定場所３までの伝播距離Ｌ、及び、測定場所３への伝播超音波Ｓの伝播方向Ｙが排出口１からの流体排出方向Ｘに対して成す伝播角度θを計測又は調査し、
そして、前記伝播超音波Ｓの強度と前記伝播距離Ｌと前記伝播角度θと前記排出口１からの流体排出流量Ｑとの間に存在する相関関係Ｋｄに基づいて、前記計測又は調査した超音波強度ｐと伝播距離Ｌと伝播角度θとから排出口１からの流体排出流量Ｑ′を求めるものである。
【００９１】
本例で示した測定器４は必要なモード変更処理を施せば、上述の如く排出口１からの気体排出流量Ｑを測定する本来の排出流量測定モードでの使用に換えて、図４に示す如く配管１０やタンクに生じたピンホールあるいは配管接続部における接続不良部分などの微小な流体漏洩部ｒを探索する漏洩部探索モードや、それら漏洩部ｒからの流体漏洩流量ｑを測定する漏洩流量測定モードでの使用が可能である。
【００９２】
つまり、漏洩部探索モードでは、測定器４のマイクロホン６ａの向き先を配管１０などに沿って徐々に移動させるように、測定器４を徐々に移動又は姿勢変化させながら漏洩部ｒでの流体漏洩に伴う発生超音波Ｓｒの強度ｐｒを超音波計測部６により計測する。
【００９３】
そして、この移動又は姿勢変化による計測超音波強度ｐｒの変化を表示部における強度表示やイヤホン出力により確認して、この計測超音波強度ｐｒの変化パターン上で計測超音波強度ｐｒが最大となったときのマイクロンホン６ａの向き先に漏洩部ｒが存在する可能性が高いといった探索形態で、配管１０やタンクなどに存在する微小な漏洩部ｒを探索する。
【００９４】
また、漏洩流量測定モードでは、測定器４のマイクロホン６ａを配管１０やタンクなどにおける漏洩部ｒに向けた状態でその漏洩部ｒでの流体漏洩に伴う発生超音波Ｓｒの強度ｐｒを超音波計測部６により計測する。
【００９５】
そして、記憶部７に記憶させてある漏洩流量演算用の相関関係Ｋｒ（即ち、漏洩部発生超音波Ｓｒの強度ｐｒと漏洩流量ｑとの間に存在する相関関係）に基づいて計測超音波強度ｐｒから漏洩部ｒにおける流体漏洩流量ｑを演算部８に演算させ、その演算した流体漏洩流量ｑを測定結果として表示部に表示させる。
【００９６】
必要なモード変更処理は選択モードの実施条件等によって異なるが、超音波計測部６の計測感度や計測周波数帯の変更、演算部８の演算プログラムの変更、記憶部７の記憶情報の変更、装置の一部ハード構成の交換などがある。
【００９７】
〔別実施形態〕
次に本発明の別実施形態を列記する。
【００９８】
前述の実施形態では排出口１から測定場所３までの伝播距離Ｌの異なりにも柔軟に対応できて、測定場所３を伝播距離Ｌに拘束されずに決定できる例を示したが、伝播距離Ｌを一定距離に規定して実施する簡易型の排出流量測定装置とする場合、測定器４の記憶部７及び演算部８を次のように変更してもよい。
【００９９】
記憶部７には、伝播超音波Ｓの測定場所３での強度ｐと伝播角度θと排出口１からの気体排出流量Ｑとの間に存在する相関関係Ｋｃを記憶させる。
【０１００】
そして、演算部８は、測定場所３において超音波計測部６により計測した超音波強度ｐと入力部に入力される伝播角度θとから、記憶部７に記憶の上記相関関係Ｋｃに基づいて排出口１からの気体排出流量Ｑを演算し、その演算した気体排出流量Ｑを測定結果として表示部に表示するものにする。
【０１０１】
つまり、この場合、排出路２の端部に形成した排出口１から排出される流体Ｇの流量Ｑを測定する排出流量測定方法としては、
排出口１からの流体排出に伴い排出口部で発生して伝播する超音波Ｓの強度ｐを排出口１から離れた測定場所３で計測するとともに、
測定場所３への伝播超音波Ｓの伝播方向Ｙが排出口１からの流体排出方向Ｘに対して成す伝播角度θを計測又は調査し、
そして、前記伝播超音波Ｓの前記測定場所３での強度ｐと前記伝播角度θと前記排出口１からの流体排出流量Ｑとの間に存在する相関関係Ｋｃに基づいて、前記計測又は調査した超音波強度ｐと伝播角度θとから排出口１からの流体排出流量Ｑを求めるものとなる。
【０１０２】
また、さらに簡易型の排出流量測定装置とする場合、測定器４の記憶部７及び演算部８を次のように変更してもよい。
【０１０３】
記憶部７には、伝播超音波Ｓの測定場所３での強度ｐと排出口１からの気体排出流量Ｑとの間に存在する相関関係Ｋａを記憶させる。
【０１０４】
そして、演算部８は、測定場所３において超音波計測部６により計測した超音波強度ｐから、記憶部７に記憶の上記相関関係Ｋａに基づいて排出口１からの気体排出流量Ｑを演算し、その演算した気体排出流量Ｑを測定結果として表示部に表示するものにする。
【０１０５】
つまり、この場合、排出路２の端部に形成した排出口１から排出される流体Ｇの流量Ｑを測定する排出流量測定方法としては、
排出口１からの流体排出に伴い排出口部で発生して伝播する超音波Ｓの強度ｐを排出口から離れた測定場所３で測定し、
そして、前記伝播超音波Ｓの前記測定場所３での強度ｐと排出口１からの流体排出流量Ｑとの間に存在する相関関係Ｋａに基づいて、排出口１からの流体排出流量Ｑを求めるものとなる。
【０１０６】
測定装置の装置構成については、伝播角度Ｌを計測する距離計測手段を測定器４に一体的に装備した装置構成にしたり、伝播角度θやそれを求めるための参考角度を計測する角度計測手段を測定器４に一体的に装備した装置構成にしてもよい。
【０１０７】
また逆に、測定器４における超音波計測部６をその他の各部から分離した装置構成にするなどしてもよい。
【０１０８】
一つの排出流量測定装置のモード切り換えにより第７〜第１０特徴構成の測定装置を選択的に現出できるようにしてもよい。
【０１０９】
排出流量測定装置は必ずしも漏洩部探索モードや漏洩流量測定モードなどへのモード切り換えを可能にする必要はなく、排出口からの流体排出流量を測定する排出流量測定モードの専用装置であってもよい。
【０１１０】
前述の実施形態で示した測定器４における超音波計測部６、記憶部７、演算部８、出力部としての表示部は、本発明の特徴構成で言う超音波計測手段、記憶手段、演算手段、出力手段に該当する。
【産業上の利用可能性】
【０１１１】
本発明による排出流量測定方法及び排出流量測定装置は、各種分野において排出口から排出される種々の流体の流量を測定するのに利用することができる。
【符号の説明】
【０１１２】
２          排出路
１          排出口
Ｇ          流体
Ｑ          流量
３          測定場所
Ｓ          伝播超音波
ｐ          超音波強度
Ｌ          伝播距離
Ｙ          伝播方向
Ｘ          流体排出方向
θ          伝播角度
Ｋａ〜Ｋｄ  相関関係
６ａ        マイクロホン
５ａ        距離計測器の計測端
６          超音波計測手段
７          記憶手段
８          演算手段
９          入力部
ｒ          漏洩部
Ｓｒ        漏洩部発生超音波
ｐｒ        超音波強度
ｑ          流体漏洩流量
【図１】
2010197303.tif 000003
【図２】
2010197303.tif 000004
【図３】
2010197303.tif 000005
【図４】
2010197303.tif 000006
【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
排出路の端部に形成した排出口から排出される流体の流量を測定する排出流量測定方法であって、
前記排出口からの流体排出に伴い排出口部で発生して伝播する超音波の強度を前記排出口から離れた測定場所でマイクロホンを用いて計測し、
前記測定場所は平面視において前記排出口からの流体排出方向に対し排出口部で直交する方向に位置する場所とし、
前記排出口からの流体排出方向を調査するとともに、前記マイクロホンを前記測定場所で前記排出口に向けた状態での前記マイクロホンの仰角を計測して、調査した前記流体排出方向と計測した前記仰角とに基づき前記測定場所への前記伝播超音波の伝播方向が前記排出口からの流体排出方向に対して成す伝播角度を求め、
前記伝播超音波の前記測定場所での強度と前記伝播角度と前記排出口からの流体排出流量との間に存在する相関関係に基づいて、前記計測した超音波強度と前記求めた伝播角度とから前記排出口からの流体排出流量を求める排出流量測定方法。
【請求項２】
排出路の端部に形成した排出口から排出される流体の流量を測定する排出流量測定方法であって、
前記排出口からの流体排出に伴い排出口部で発生して伝播する超音波の強度を前記排出口から離れた測定場所でマイクロホンを用いて計測し、
前記測定場所は平面視において前記排出口からの流体排出方向に対し排出口部で直交する方向に位置する場所とし、
前記排出口から前記測定場所までの伝播距離を計測又は調査し、
前記排出口からの流体排出方向を調査するとともに、前記マイクロホンを前記測定場所で前記排出口に向けた状態での前記マイクロホンの仰角、又は、前記排出口までの距離を計測する距離計測器の計測端を前記測定場所で前記排出口に向けた状態での前記距離計測器の仰角を計測して、調査した前記流体排出方向と計測した前記仰角とに基づき前記測定場所への前記伝播超音波の伝播方向が前記排出口からの流体排出方向に対して成す伝播角度を求め、
前記伝播超音波の強度と前記伝播距離と前記伝播角度と前記排出口からの流体排出流量との間に存在する相関関係に基づいて、前記計測した超音波強度と前記計測又は調査した伝播距離と前記求めた伝播角度とから前記排出口からの流体排出流量を求める排出流量測定方法。
【請求項３】
請求項１記載の排出流量測定方法に用いる排出流量測定装置であって、
前記排出口からの流体排出に伴い排出口部で発生して伝播する超音波の強度を前記測定場所において前記マイクロホンにより計測する超音波計測手段と、
前記伝播超音波の前記測定場所での強度と前記伝播角度と前記排出口からの流体排出流量との間に存在する相関関係を記憶させる記憶手段と、
前記測定場所で前記超音波計測手段により計測した前記超音波強度と入力部に入力される前記伝播角度とから、前記記憶手段に記憶させた前記相関関係に基づいて前記排出口からの流体排出流量を演算する演算手段と、
この演算手段により演算した前記排出口からの流体排出流量を測定結果として出力する出力手段とを備えている排出流量測定装置。
【請求項４】
請求項２記載の排出流量測定方法に用いる排出流量測定装置であって、
前記排出口からの流体排出に伴い排出口部で発生して伝播する超音波の強度を前記測定場所において前記マイクロホンにより計測する超音波計測手段と、
前記伝播超音波の強度と前記伝播距離と前記伝播角度と前記排出口からの流体排出流量との間に存在する相関関係を記憶させる記憶手段と、
前記測定場所で前記超音波計測手段により計測した前記超音波強度と入力部に入力される前記伝播距離及び前記伝播角度とから、前記記憶手段に記憶させた前記相関関係に基づいて前記排出口からの流体排出流量を演算する演算手段と、
この演算手段により演算した前記排出口からの流体排出流量を測定結果として出力する出力手段とを備えている排出流量測定装置。
【請求項５】
前記超音波計測手段を備える測定器に、前記伝播角度を求めるための前記仰角を計測する角度検出手段を一体的に装備してある請求項３又は４記載の排出流量測定装置。
【請求項６】
請求項３〜５のいずれか１項に記載した排出流量測定装置の利用方法であって、
前記排出口からの流体排出に伴い排出口部で発生して伝播する超音波の強度を前記測定場所で前記超音波計測手段により計測して、その計測により得られる超音波強度に基づき前記排出口からの流体排出流量を前記演算手段に演算させる排出流量測定モードと、
流体漏洩の発生によりその漏洩部で発生する超音波の強度を前記超音波計測手段の移動又は姿勢変化に伴い前記超音波計測手段により計測して、その計測により得られる漏洩部発生超音波の強度に基づき前記漏洩部を探査する漏洩部探査モードとの選択的な実施が可能な装置構成にして、
それら排出流量測定モードと漏洩部探査モードとを選択的に実施する排出流量測定装置の利用方法。
【請求項７】
請求項３〜５のいずれか１項に記載した排出流量測定装置の利用方法であって、
前記排出口からの流体排出に伴い排出口部で発生して伝播する超音波の強度を前記測定場所で前記超音波計測手段により計測して、その計測により得られる超音波強度に基づき前記排出口からの流体排出流量を前記演算手段に演算させる排出流量測定モードと、
流体漏洩の発生によりその漏洩部で発生する超音波の強度を前記超音波計測手段により計測して、その計測により得られる漏洩部発生超音波の強度に基づき前記漏洩部での流体漏洩流量を前記演算手段に演算させる漏洩流量測定モードとの選択的な実施が可能な装置構成にして、
それら排出流量測定モードと漏洩流量測定モードとを選択的に実施する排出流量測定装置の利用方法。
【手続補正２】
【補正対象書類名】明細書
【補正対象項目名】全文
【補正方法】変更
【補正の内容】
【発明の詳細な説明】
【技術分野】
【０００１】
本発明は、排出路の端部に形成した排出口から各種流体を排出する工場などの施設においてその排出口から排出される流体の流量を測定する排出流量測定方法、及び、排出流量測定装置、並びに、その排出流量測定装置の利用方法に関する。
【背景技術】
【０００２】
流量計については従来、各種形式のものが知られているが、その多くは管路の途中に介装する方式であり（特許文献１参照）、これらの流量計は、介装流量計が流路抵抗となって移送流体の圧力損失が大きくなる、また、既設の管路に介装するのに流体移送を停止する必要がある、さらにまた、必要箇所に適宜移動して流量測定を行なうことができないなどの問題がある。
【０００３】
また、超音波伝播時間やドップラー効果を利用する超音波流量計など、一部には管路外部からの流量測定が可能なものもあるが（特許文献２参照）、それにしても装置類の管路への取り付けが必要であるため、その取り付けに手間を要し、殊に測定対象箇所が高所にあるなど近付き難い位置にある場合には取り付け作業に多大な手間と工費を要する問題があった。
【先行技術文献】
【特許文献】
【０００４】
【特許文献１】特開平５−１４２０１０号公報
【特許文献２】特開昭５８−４８８１７号公報
【発明の概要】
【発明が解決しようとする課題】
【０００５】
上記実情に鑑み、本発明の主たる課題は、排出路の端部に形成した排出口から排出される流体の流量をその排出口の位置に制約されることなく排出路の外部から極めて容易に測定することができる排出流量測定方法及び排出流量測定装置を提供する点にあり、また、その排出流量測定装置の利用価値を高めることができる排出流量測定装置の利用方法を併せて提供する点にある。
【課題を解決するための手段】
【０００６】
排出路の端部に形成した排出口から排出される流体の流量を測定する排出流量測定方法としては、
前記排出口からの流体排出に伴い排出口部で発生して伝播する超音波の強度を前記排出口から離れた測定場所で計測し、
前記伝播超音波の前記測定場所での強度と前記排出口からの流体排出流量との間に存在する相関関係に基づいて、前記計測した超音波強度から前記排出口からの流体排出流量を求める方法が考えられる。（参考測定方法１）
【０００７】
つまり、排出路端部の排出口から排出される流体の流量について研究したところ、排出口からの流体排出流量とその流体排出に伴い排出口部で発生して伝播する超音波の強度との間には相関があり、定性的には排出流体の流量が大きくなるほど超音波強度も大きくなる。
【０００８】
したがって、排出口から離れた適当な測定場所での上記伝播超音波の強度と排出口からの流体排出流量との間に存在する相関関係を実験等により求めるようにすれば、上記の如く、伝播超音波の強度を測定場所で計測して、この計測した超音波強度から前記相関関係に基づいて排出口からの流体排出流量を求めることができる。
【０００９】
即ち、この測定方法によれば、排出路への装置類の介装や取り付けを要することなく排出口からの流体排出流量を測定することができて、排出口が高所にあるなど近付き難い位置にある場合にも排出口からの流体排出流量を容易に測定することができ、また、排出路途中に装置類を介装することに原因する移送流体の圧力損失の増大なども回避することができる。
【００１０】
そしてまた、排出路への装置類の取り付けが不要であるから、測定装置類を可搬式にして、異なる測定必要箇所や測定に都合のいい箇所へ適宜移動して排出口からの流体排出流量を測定できるようにすることも容易に実現することができる。
【００１１】
さらに、超音波強度の計測による流量測定であるから、排出口からの排出流体の温度の影響を受けることも少なく、排出口からの排出流体が高温流体である場合などでも排出口からの流体排出流量を正確かつ容易に測定することができる。
【００１２】
また、別の排出流量測定方法として、
前記排出口からの流体排出に伴い排出口部で発生して伝播する超音波の強度を前記排出口から離れた測定場所で計測するとともに、
前記排出口から前記測定場所までの伝播距離を計測又は調査し、
前記伝播超音波の強度と前記伝播距離と前記排出口からの流体排出流量との間に存在する相関関係に基づいて、前記計測又は調査した超音波強度と伝播距離とから前記排出口からの流体排出流量を求める方法も考えられる。（参考測定方法２）
【００１３】
つまり、この測定方法によれば前記参考測定方法１と共通する部分において参考測定方法１と基本的に同様の効果を得ることができる。
【００１４】
また加えて、この測定方法によれば、測定場所で計測した伝播超音波の強度と計測又は調査した伝播距離とから、超音波強度と伝播距離と流体排出流量との間の上記相関関係に基づいて排出口からの流体排出流量を求めるから、排出口から測定場所までの伝播距離の異なりにも柔軟に対応して排出口からの流体排出流量を容易に測定することができる。
【００１５】
即ち、排出口から測定場所までの伝播距離（換言すれば、排出口と測定場所との間の離間距離）が種々異なる場合にも、その伝播距離の異なりにかかわらず排出口からの流体排出流量を正確かつ容易に測定することができ、この点で汎用性や利便性に一層優れた排出流量測定方法にすることができる。
【００１６】
そしてまた、このように伝播距離の異なりにも柔軟に対応できることで、測定装置類を可搬式にして、異なる測定必要箇所や測定に都合のいい箇所へ適宜移動して排出口からの流体排出流量を測定できるようにすることも一層容易にまた一層効果的に実現することができる。
【００１７】
なお、伝播距離はどのような方法で計測又は調査してもいいが、排出口が近付き難い位置にある場合には、計測端を排出口に向けた状態で排出口までの距離を計測する方式の距離計測器を用いて計測したり、施設の配管図などを用いて調査したり、また場合によっては目測により計測するなどすればよい。
【００１８】
また、別の排出流量測定方法として、
前記排出口からの流体排出に伴い排出口部で発生して伝播する超音波の強度を前記排出口から離れた測定場所で計測するとともに、
前記測定場所への前記伝播超音波の伝播方向が前記排出口からの流体排出方向に対して成す伝播角度を計測又は調査し、
前記伝播超音波の前記測定場所での強度と前記伝播角度と前記排出口からの流体排出流量との間に存在する相関関係に基づいて、前記計測又は調査した超音波強度と伝播角度とから前記排出口からの流体排出流量を求める方法も考えられる。（参考測定方法３）
【００１９】
つまり、この測定方法によれば前記参考測定方法１と共通する部分において参考測定方法１と基本的に同様の効果を得ることができる。
【００２０】
また加えて、この測定方法によれば、測定場所で計測した伝播超音波の強度と計測又は調査した伝播角度とから、超音波強度と伝播角度と流体排出流量との間の上記相関関係に基づいて排出口からの流体排出流量を求めるから、伝播角度の異なりにも柔軟に対応して排出口からの流体排出流量を容易に測定することができる。
【００２１】
即ち、測定場所への伝播超音波の伝播方向が排出口からの流体排出方向に対して成す伝播角度（換言すれば、測定場所への伝播超音波の伝播方向と排出口からの流体排出方向との交差角度）が種々異なる場合にも、その伝播角度の異なりにかかわらず排出口からの流体排出流量を正確かつ容易に測定することができ、この点で汎用性や利便性に一層優れた排出流量測定方法にすることができる。
【００２２】
そしてまた、このように伝播角度の異なりにも柔軟に対応できることで、測定装置類を可搬式にして、異なる測定必要箇所や測定に都合のいい箇所へ適宜移動して排出口からの流体排出流量を測定できるようにすることも一層容易にまた一層効果的に実現することができる。
【００２３】
なお、伝播角度はどのような方法で計測又は調査してもいいが、排出口が近付き難い位置にある場合には、施設の配管図などを用いて調査したり、三角測量器ないし方位角計や仰角計などを用いて計測したり、場合によっては目測により計測するなどすればよい。
【００２４】
また、別の排出流量測定方法として、
前記排出口からの流体排出に伴い排出口部で発生して伝播する超音波の強度を前記排出口から離れた測定場所で計測するとともに、
前記排出口から前記測定場所までの伝播距離、及び、前記測定場所への前記伝播超音波の伝播方向が前記排出口からの流体排出方向に対して成す伝播角度を計測又は調査し、
前記伝播超音波の強度と前記伝播距離と前記伝播角度と前記排出口からの流体排出流量との間に存在する相関関係に基づいて、前記計測又は調査した超音波強度と伝播距離と伝播角度とから前記排出口からの流体排出流量を求める方法も考えられる。（参考測定方法４）
【００２５】
つまり、この測定方法によれば前記参考測定方法１と共通する部分において参考測定方法１と基本的に同様の効果を得ることができ、また、これに加え、前記参考測定方法２と前記参考測定方法３による測定方法とを組合せ実施する形態にして、伝播距離の異なりと伝播角度の異なりとの両方に対し柔軟に対応することができ、汎用性や利便性にさらに優れた排出流量測定方法にすることができる。
【００２６】
なお、参考測定方法１〜４を実施するのに、それら測定方法で用いる各々の相関関係は、測定場所での超音波強度などの計測や調査に先立ち、他所での実験等により予め求めておくようにするのが望ましい。
【００２７】
参考測定方法３又は４を実施するのに、
超音波強度を計測するためのマイクロホンを前記排出口に向けた状態で前記伝播超音波の強度を前記測定場所において計測し、
この超音波強度計測のときの前記マイクロホンの向きと、計測又は調査した前記排出口からの流体排出向きとから前記伝播角度を求める方法を採ってもよい。
【００２８】
つまり、この測定方法によれば、測定場所において伝播超音波の強度を計測するときのマイクロホンの向きを利用して前記伝播角度を求めるから、測定作業の作業工数ないし測定機器類の機器数を減らすことができて、測定作業を一層容易にすることができる。
【００２９】
また、参考測定方法４を実施するのに、
計測端を前記排出口に向けた状態で前記排出口までの距離を計測する距離計測器を用いて前記伝播距離を前記測定場所において計測し、
この距離計測のときの前記計測端の向きと、計測又は調査した前記排出口からの流体排出向きとから前記伝播角度を求める方法を採ってもよい。
【００３０】
つまり、この測定方法によれば、測定場所において伝播距離を計測するときの距離計測器の計測端の向きを利用して前記伝播角度を求めるから、測定作業の作業工数ないし測定機器類の機器数を減らすことができて、測定作業を一層容易にすることができる。
【００３１】
排出路の端部に形成した排出口から排出される流体の流量を測定する排出流量測定装置としては、
前記排出口からの流体排出に伴い排出口部で発生して伝播する超音波の強度を前記排出口から離れた測定場所において計測する超音波計測手段と、
前記伝播超音波の前記測定場所での強度と前記排出口からの流体排出流量との間に存在する相関関係を記憶させる記憶手段と、
前記測定場所で前記超音波計測手段により計測した前記超音波強度から、前記記憶手段に記憶させた前記相関関係に基づいて前記排出口からの流体排出流量を演算する演算手段と、
この演算手段により演算した前記排出口からの流体排出流量を測定結果として出力する出力手段とを備える装置が考えられる。（参考測定装置１）
【００３２】
つまり、この測定装置を用いれば、前記参考測定方法１を実施して参考測定方法１による前述効果を得ることができる。
【００３３】
また、この測定装置によれば、上記相関関係に基づく流体排出流量の演算を演算手段により自動的に行なうから、排出口からの流体排出流量の測定を一層容易に能率良く行なうことができる。
【００３４】
また、別の排出流量測定装置として、
前記排出口からの流体排出に伴い排出口部で発生して伝播する超音波の強度を前記排出口から離れた測定場所において計測する超音波計測手段と、
前記伝播超音波の強度と前記排出口から前記測定場所までの伝播距離と前記排出口からの流体排出流量との間に存在する相関関係を記憶させる記憶手段と、
前記測定場所で前記超音波計測手段により計測した前記超音波強度と入力部に入力される前記伝播距離とから、前記記憶手段に記憶させた前記相関関係に基づいて前記排出口からの流体排出流量を演算する演算手段と、
この演算手段により演算した前記排出口からの流体排出流量を測定結果として出力する出力手段とを備える装置も考えられる。（参考測定装置２）
【００３５】
つまり、この測定装置を用いれば、前記参考測定方法２を実施して参考測定方法２による前述効果を得ることができる。
【００３６】
また、この測定装置によれば、上記相関関係に基づく流体排出流量の演算を演算手段により自動的に行なうから、排出口からの流体排出流量の測定を一層容易に能率良く行なうことができる。
【００３７】
なお、入力部に入力する伝播距離は、参考測定方法２の場合と同様、どのような方法で計測又は調査してもいいが、排出口が近付き難い位置にある場合には、計測端を排出口に向けた状態で排出口までの距離を計測する方式の距離計測器を用いて計測したり、施設の配管図などを用いて調査したり、また場合によっては目測により計測するなどすればよい。
【００３８】
また、距離計測器を用いて伝播距離を計測する場合、計測結果としての伝播距離が距離計測器から上記入力部に自動的に入力されるようにしてもよい。
【００３９】
また、別の排出流量測定装置として、
前記排出口からの流体排出に伴い排出口部で発生して伝播する超音波の強度を前記排出口から離れた測定場所において計測する超音波計測手段と、
前記伝播超音波の前記測定場所での強度と前記測定場所への前記伝播超音波の伝播方向が前記排出口からの流体排出方向に対して成す伝播角度と前記排出口からの流体排出流量との間に存在する相関関係を記憶させる記憶手段と、
前記測定場所で前記超音波計測手段により計測した前記超音波強度と入力部に入力される前記伝播角度とから、前記記憶手段に記憶させた前記相関関係に基づいて前記排出口からの流体排出流量を演算する演算手段と、
この演算手段により演算した前記排出口からの流体排出流量を測定結果として出力する出力手段とを備える装置も考えられる。（参考測定装置３）
【００４０】
つまり、この測定装置を用いれば、前記参考測定方法３を実施して参考測定方法３による前述効果を得ることができる。
【００４１】
また、この測定装置によれば、上記相関関係に基づく流体排出流量の演算を演算手段により自動的に行なうことから、排出口からの流体排出流量の測定を一層容易に能率良く行なうことができる。
【００４２】
なお、入力部に入力する伝播角度は、前記第３特徴構成の測定方法の場合と同様、どのような方法で計測又は調査してもいいが、排出口が近付き難い位置にある場合には、施設の配管図などを用いて調査したり、三角測量器ないし方位角計や仰角計などを用いて計測したり、場合によっては目測により計測するなどすればよい。
【００４３】
また、伝播角度相当の情報として測定場所への伝播超音波の伝播方向と排出口からの流体排出方向とを入力部に入力し、これら入力情報から流体排出流量の演算に用いる前記伝播角度を演算手段自身に演算させるようにしてもよい。
【００４４】
また、別の排出流量測定装置として、
前記排出口からの流体排出に伴い排出口部で発生して伝播する超音波の強度を前記排出口から離れた測定場所において計測する超音波計測手段と、
前記伝播超音波の強度と前記排出口から前記測定場所までの伝播距離と前記測定場所への前記伝播超音波の伝播方向が前記排出口からの流体排出方向に対して成す伝播角度と前記排出口からの流体排出流量との間に存在する相関関係を記憶させる記憶手段と、
前記測定場所で前記超音波計測手段により計測した前記超音波強度と入力部に入力される前記伝播距離及び前記伝播角度とから、前記記憶手段に記憶させた前記相関関係に基づいて前記排出口からの流体排出流量を演算する演算手段と、
この演算手段により演算した前記排出口からの流体排出流量を測定結果として出力する出力手段とを備える装置も考えられる。（参考測定装置４）
【００４５】
つまり、この測定装置を用いれば、前記参考測定方法４を実施して参考測定方法４による前述効果を得ることができる。
【００４６】
また、この測定装置によれば、上記相関関係に基づく流体排出流量の演算を演算手段により自動的に行なうことから、排出口からの流体排出流量の測定を一層容易に能率良く行なうことができる。
【００４７】
なお、入力部に入力する伝播距離は、前記参考測定装置２と同様、どのような方法で計測又は調査してもいいが、排出口が近付き難い位置にある場合には、計測端を排出口に向けた状態で排出口までの距離を計測する方式の距離計測器を用いて計測したり、施設の配管図などを用いて調査したり、また場合によっては目測により計測するなどすればよい。
【００４８】
距離計測器を用いて伝播距離を計測する場合、計測結果としての伝播距離が距離計測器から上記入力部に自動的に入力されるようにしてもよい。
【００４９】
また、入力部に入力する伝播角度は、前記参考測定装置３と同様、どのような方法で計測又は調査してもいいが、排出口が近付き難い位置にある場合には、施設の配管図などを用いて調査したり、三角測量器ないし方位角計や仰角計などを用いて計測したり、場合によっては目測により計測するなどすればよい。
【００５０】
伝播角度相当の情報として測定場所への伝播超音波の伝播方向と排出口からの流体排出方向とを入力部に入力し、これら入力情報から流体排出流量の演算に用いる前記伝播角度を演算手段自身に演算させるようにしてもよい。
〔本発明の特徴構成〕
・ここで、本発明の第１特徴構成は排出流量測定方法に係り、その特徴は、
排出路の端部に形成した排出口から排出される流体の流量を測定する排出流量測定方法であって、
前記排出口からの流体排出に伴い排出口部で発生して伝播する超音波の強度を前記排出口から離れた測定場所でマイクロホンを用いて計測し、
前記測定場所は平面視において前記排出口からの流体排出方向に対し排出口部で直交する方向に位置する場所とし、
前記排出口からの流体排出方向を調査するとともに、前記マイクロホンを前記測定場所で前記排出口に向けた状態での前記マイクロホンの仰角を計測して、調査した前記流体排出方向と計測した前記仰角とに基づき前記測定場所への前記伝播超音波の伝播方向が前記排出口からの流体排出方向に対して成す伝播角度を求め、
前記伝播超音波の前記測定場所での強度と前記伝播角度と前記排出口からの流体排出流量との間に存在する相関関係に基づいて、前記計測した超音波強度と前記求めた伝播角度とから前記排出口からの流体排出流量を求める点にある。
つまり、この測定方法によれば、計測した超音波強度と求めた伝播角度とから排出口からの流体排出流量を求める点で、基本的に前記した参考測定方法３と同じ効果を得ることができる。
また、それに加えて、測定場所は平面視において排出口からの流体排出方向に対し排出口部で直交する方向に位置する場所にするから、上記仰角を計測することで、その計測した仰角と調査した流体排出方向とにより上記伝播角度を求めることができる。
・本発明の第２特徴構成は排出流量測定方法に係り、その特徴は、
排出路の端部に形成した排出口から排出される流体の流量を測定する排出流量測定方法であって、
前記排出口からの流体排出に伴い排出口部で発生して伝播する超音波の強度を前記排出口から離れた測定場所でマイクロホンを用いて計測し、
前記測定場所は平面視において前記排出口からの流体排出方向に対し排出口部で直交する方向に位置する場所とし、
前記排出口から前記測定場所までの伝播距離を計測又は調査し、
前記排出口からの流体排出方向を調査するとともに、前記マイクロホンを前記測定場所で前記排出口に向けた状態での前記マイクロホンの仰角、又は、前記排出口までの距離を計測する距離計測器の計測端を前記測定場所で前記排出口に向けた状態での前記距離計測器の仰角を計測して、調査した前記流体排出方向と計測した前記仰角とに基づき前記測定場所への前記伝播超音波の伝播方向が前記排出口からの流体排出方向に対して成す伝播角度を求め、
前記伝播超音波の強度と前記伝播距離と前記伝播角度と前記排出口からの流体排出流量との間に存在する相関関係に基づいて、前記計測した超音波強度と前記計測又は調査した伝播距離と前記求めた伝播角度とから前記排出口からの流体排出流量を求める点にある。
つまり、この測定方法によれば、計測した超音波強度と計測又は調査した伝播距離と求めた伝播角度とから排出口からの流体排出流量を求める点で、基本的に前記した参考測定方法４と同じ効果を得ることができる。
また、それに加えて、第１特徴構成の測定方法と同じく、測定場所は平面視において排出口からの流体排出方向に対し排出口部で直交する方向に位置する場所にするから、上記仰角を計測することで、その計測した仰角と調査した流体排出方向とにより上記伝播角度を求めることができる。
・本発明の第３特徴構成は、第１特徴構成の排出流量測定方法に用いる排出流量測定装置に係り、その特徴は、
前記排出口からの流体排出に伴い排出口部で発生して伝播する超音波の強度を前記測定場所において前記マイクロホンにより計測する超音波計測手段と、
前記伝播超音波の前記測定場所での強度と前記伝播角度と前記排出口からの流体排出流量との間に存在する相関関係を記憶させる記憶手段と、
前記測定場所で前記超音波計測手段により計測した前記超音波強度と入力部に入力される前記伝播角度とから、前記記憶手段に記憶させた前記相関関係に基づいて前記排出口からの流体排出流量を演算する演算手段と、
この演算手段により演算した前記排出口からの流体排出流量を測定結果として出力する出力手段とを備えている点にある。
つまり、この測定装置によれば、測定場所で超音波計測手段により計測した超音波強度と入力部に入力される伝播角度とから排出口からの流体排出流量を演算手段に演算させる点で、前記した参考測定装置３と同じ効果を得ることができる。
・本発明の第４特徴構成は、第２特徴構成の排出流量測定方法に用いる排出流量測定装置に係り、その特徴は、
前記排出口からの流体排出に伴い排出口部で発生して伝播する超音波の強度を前記測定場所において前記マイクロホンにより計測する超音波計測手段と、
前記伝播超音波の強度と前記伝播距離と前記伝播角度と前記排出口からの流体排出流量との間に存在する相関関係を記憶させる記憶手段と、
前記測定場所で前記超音波計測手段により計測した前記超音波強度と入力部に入力される前記伝播距離及び前記伝播角度とから、前記記憶手段に記憶させた前記相関関係に基づいて前記排出口からの流体排出流量を演算する演算手段と、
この演算手段により演算した前記排出口からの流体排出流量を測定結果として出力する出力手段とを備えている点にある。
つまり、この測定装置によれば、測定場所で超音波計測手段により計測した超音波強度と入力部に入力される伝播距離及び伝播角度とから排出口からの流体排出流量を演算手段に演算させる点で、前記した参考測定装置４と同じ効果を得ることができる。
・本発明の第５特徴構成は、第３又は第４特徴構成の実施に好適な実施形態を特定するものであり、その特徴は、
前記超音波計測手段を備える測定器に、前記伝播角度を求めるための前記仰角を計測する角度検出手段を一体的に装備してある。
【００５１】
本発明の第６特徴構成は、第３〜第５特徴構成のいずれかによる排出流量測定装置の利用方法に係り、その特徴は、
前記排出口からの流体排出に伴い排出口部で発生して伝播する超音波の強度を前記測定場所で前記超音波計測手段により計測して、その計測により得られる超音波強度に基づき前記排出口からの流体排出流量を前記演算手段に演算させる排出流量測定モードと、
流体漏洩の発生によりその漏洩部で発生する超音波の強度を前記超音波計測手段の移動又は姿勢変化に伴い前記超音波計測手段により計測して、その計測により得られる漏洩部発生超音波の強度に基づき前記漏洩部を探査する漏洩部探査モードとの選択的な実施が可能な装置構成して、
それら排出流量測定モードと漏洩部探査モードとを選択的に実施する点にある。
【００５２】
つまり、この利用方法では、上記排出流量測定モードを選択した場合、前記第３〜第５特徴構成のいずれかによる排出流量測定装置を前述の如き本来の使用形態で使用（即ち、前記第１〜第６特徴構成のいずれかによる測定方法を実施）して、排出口からの流体排出流量を測定する。
【００５３】
一方、上記漏洩部探査モードを選択した場合では、超音波計測手段を移動又は姿勢変化させながら漏洩部での発生超音波の強度をその超音波計測手段により計測することで、超音波計測手段の移動又は姿勢変化による計測超音波強度の変化を捕らえて、その変化パターンから漏洩部を探査するといった形態で、漏洩部発生超音波の強度に基づき漏洩部を探査する。即ち、この漏洩部探査モードを選択すれば、配管やタンクに生じたピンホールあるいは配管接続部における接続不良部分などの微小な流体漏洩部も容易に発見することができる。
【００５４】
そして、このように本来の排出流量測定モードとそれとは異なる目的で超音波強度の計測機能を利用する漏洩部探査モードとを必要に応じ適宜選択する使用形態を採ることで、第３〜第５特徴構成による排出流量測定装置の利用価値を高めることができ、装置利用者にとって利便性の一層高い測定装置にすることができる。
【００５５】
本発明の第７特徴構成は、第３〜第５特徴構成のいずれかによる排出流量測定装置の利用方法に係り、その特徴は、
前記排出口からの流体排出に伴い排出口部で発生して伝播する超音波の強度を前記測定場所で前記超音波計測手段により計測して、その計測により得られる超音波強度に基づき前記排出口からの流体排出流量を前記演算手段に演算させる排出流量測定モードと、
流体漏洩の発生によりその漏洩部で発生する超音波の強度を前記超音波計測手段により計測して、その計測により得られる漏洩部発生超音波の強度に基づき前記漏洩部での流体漏洩流量を前記演算手段に演算させる漏洩流量測定モードとの選択的な実施が可能な装置構成して、
それら排出流量測定モードと漏洩流量測定モードとを選択的に実施する点にある。
【００５６】
つまり、この利用方法では、上記排出流量測定モードを選択した場合、前記第３〜第５特徴構成のいずれかによる排出流量測定装置を前述の如き本来の使用形態で使用（即ち、前記第１〜第６特徴構成のいずれかによる測定方法を実施）して、排出口からの流体排出流量を測定する。
【００５７】
一方、上記漏洩流量測定モードを選択した場合では、漏洩部での発生超音波の強度を超音波計測手段により計測することで、漏洩部発生超音波の強度と漏洩部での流体漏洩流量との間に存在する相関関係に計測超音波強度を照らして漏洩部での流体漏洩流量を求めるといった形態で、漏洩部発生超音波の強度に基づき漏洩部での流体漏洩流量を演算手段に演算させる。即ち、この漏洩流量測定モードを選択すれば、配管やタンクに生じたピンホールあるいは配管接続部における接続不良部分などの微小な流体漏洩部での流体漏洩流量を容易に測定することができる。
【００５８】
そして、このように本来の排出流量測定モードとそれとは異なる目的で超音波強度の計測機能及び演算機能を利用する漏洩流量測定モードとを必要に応じ適宜選択する使用形態を採ることで、第３〜第５特徴構成よる排出流量測定装置の利用価値を高めることができ、装置利用者にとって利便性の一層高い測定装置にすることができる。
【００５９】
なお、第６又は第７特徴構成の装置利用方法を実施するにあたり、排出流量測定モードと漏洩部探査モードとの選択的な実施、並びに、排出流量測定モードと漏洩流量測定モードとの選択な実施を可能にするには、例えば、超音波計測手段の計測感度や計測周波数帯の変更を可能にする、また、演算手段の演算プログラムの変更を可能にする、あるいはまた、記憶手段の記憶情報の変更を可能にする、さらにまた、装置の一部ハード構成を交換するなど、モード選択のための種々の切り換え構成を採用することができる。
【００６０】
また、演算プログラムや記憶情報の変更を可能にする場合には、複数種の演算プログラムや複数種の記憶情報を予め測定装置に入力しておき、それらの中からモード選択の際に使用演算プログラムや使用記憶情報を選択する方式、あるいは、モード選択の際に新たな演算プログラムや記憶情報を入力する方式なども採用することができる。
【００６１】
モード選択として、排出流量測定モードと漏洩部探査モードと漏洩流量測定モードとの３つのモードの選択的な実施を可能にして第６特徴構成による装置利用方法と第７特徴構成による装置利用方法とを組み合わせ実施する形態を採れば、排出流量測定装置の利用価値及び利便性を一層高めることができる。
【００６２】
以上の第１又は第２特徴構成のいずれかによる排出流量測定方法の実施、あるいは、第３〜第５特徴構成のいずれかによる排出流量測定装置の実施、あるいは、第６又は第７特徴構成による排出流量測定装置の利用方法の実施にあたり、それらの実施で使用する前記相関関係は数式的な表現形態のものやデータテーブル的な表現形態のものなど、どのような表現形態のものであってもよい。
【００６３】
また、測定場所は排出口からの流体排出方向に対して直交する方向にある位置にするのが望ましい。
【００６４】
測定対象である排出口からの排出流体は気体あるいは気体と液体との混合流体、あるいはまた、気体と粉状固形物との混合流体などのいずれであってもよく、また、それら気体は湿り気体あるいは乾き気体のいずれであってもよい。
【図面の簡単な説明】
【００６５】
【図１】排出流量測定の実施状態を示す斜視図
【図２】測定場所の位置関係を示す概略立面図と概略平面図
【図３】測定器及び距離計測器の平面図
【図４】漏洩部探索及び漏洩流量測定の実施状態を示す斜視図
【発明を実施するための形態】
【００６６】
図１は屋外に設けられた排出口１から排出される気体Ｇ（例えば大気中へ放散させる工場排気など）の排出流量Ｑを測定している状態を示し、排出口１は縦姿勢に施設された排出管２（排出路）の先端に形成されている。
【００６７】
排出管２内への雨水の侵入を防ぐため、排出管２の上端部２ａは斜向きに屈折させてあり、排出口１は、その開口面がほぼ鉛直姿勢で排出管上端部２ａの屈折方向の側に向くように排出管上端部２ａの先端をその管軸芯Ｘに対し斜めに切断して形成されている。
【００６８】
排出口１が高位置にあるため排出流量Ｑの測定は図２（ａ）に示す如く排出口１を仰ぐ状態で行なう状況にあり、本例では図２（ｂ）に示す如く平面視において排出口１からの気体排出方向Ｘ（即ち、屈折させた排出管上端部２ａの管軸芯方向）に対し排出口部で直交する方向Ｙの下方位置を測定場所３として測定作業を行なっている。
【００６９】
測定は携帯式の測定器４と携帯式の距離計測器５とを用いて測定場所３で行うが、図３（ａ）に示す如く測定器４には、排出口１からの気体排出に伴いその排出口部で発生して伝播する超音波Ｓの強度ｐ（換言すれば、音圧）を計測する超音波計測部６を設けてあり、この超音波計測部６は指向性マイクロホン６ａとこのマイクロホン６ａの超音波受信信号を電気的に処理する処理部６ｂとからなる。
【００７０】
マイクロホン６ａは測定器４の先端部に設けてあり、その指向中心軸線は測定器４の前方向きになっている。
【００７１】
処理部６ａは、超音波強度の計測処理としてマイクロホン６ａで受信した超音波Ｓの強度ｐをデジタル化するとともに、そのデジタル化した計測結果としての超音波強度ｐを測定器４の表示部（図示省略）に表示し、また、その計測した超音波強度ｐに応じた音量の可聴音を生成してイヤホンなどに出力する。
【００７２】
つまり、排出口１からの上記伝播超音波Ｓの強度ｐを計測するにあたっては、測定場所３においてマイクロホン６ａを概ね排出口１に向けた状態で表示部の表示やイヤホン出力などによりそのときの受信超音波Ｓの強度ｐを確認しながら測定器４を徐々に向き変化（即ち、マイクロホン６ａを徐々に向き変化）させる。
【００７３】
そして、この向き変化において受信超音波Ｓの強度ｐが最も大きくなった向き（即ち、マイクロホン６ａの指向中心軸線が排出口１を指す向き）を計測向きとし、その向きでの受信超音波Ｓの強度ｐを上記伝播超音波の計測強度とする。
【００７４】
測定器４には、超音波計測部６や表示部の他、測定に必要な各種情報を記憶する記憶部７、各種演算を行なう演算部８、各種操作を行う操作部９を設けてあり、記憶部７には、排出口１からの伝播超音波Ｓの強度ｐと排出口１から測定場所３までの伝播距離Ｌと排出口１からの気体排出流量Ｑとの間に存在する相関関係Ｋｂを記憶させてある。
【００７５】
この相関関係Ｋｂは実験等により求めたものを数式的な形態やデータテーブル的な形態で測定器４の記憶部７に予め記憶させたものである。
【００７６】
距離計測器５は上記伝播距離Ｌを計測するのに用い、図３（ｂ）に示す先端部の計測端５ａを対象物に向けた状態でその対象物までの距離を計測するレーザー方式などの距離計測器５を用いている。
【００７７】
つまり、測定場所３において距離計測器５の計測端５ａを排出口１に向けた状態で排出口１までの距離を計測することで上記伝播距離Ｌを計測する。そして、計測した伝播距離Ｌは測定器４の入力部としての操作部９において入力操作することで測定器４に入力する。
【００７８】
測定器４の演算部８は、伝播距離Ｌが測定器４に入力され、また、測定場所３での超音波強度ｐの計測が完了すると、それら計測した超音波強度ｐと伝播距離Ｌとから記憶部７に記憶の前記相関関係Ｋｂに基づいて排出口１からの気体排出流量Ｑを演算し、この演算した気体排出流量Ｑを出力部としての測定器４の表示部に数値表示する。
【００７９】
即ち、ここまでについて本例では、排出路２の端部に形成した排出口１から排出される流体Ｇの流量Ｑを測定する排出流量測定方法として、
排出口１からの流体排出に伴い排出口部で発生して伝播する超音波Ｓの強度ｐを排出口１から離れた測定場所３で計測するとともに、
排出口１から測定場所３までの伝播距離Ｌを計測又は調査し、
そして、前記伝播超音波Ｓの強度ｐと前記伝播距離Ｌと前記排出口１からの流体排出流量Ｑとの間に存在する相関関係Ｋｂに基づいて、前記計測又は調査した超音波強度ｐと伝播距離Ｌとから排出口１からの流体排出流量Ｑを求めるようにしている（前記した参考測定方法２に該当）。
【００８０】
ここで、排出流量測定としてより高い測定精度が必要な場合は、上記測定器４の表示部に測定結果として表示される気体排出流量Ｑに対し伝播角度θについての補正を加えるようにしてもよい。
【００８１】
つまり、測定場所３への伝播超音波Ｓの伝播方向Ｙが排出口１からの気体排出方向Ｘに対して成す伝播角度θを計測又は調査し、その伝播角度θに応じた補正を上記測定器４の表示部に表示された気体排出流量Ｑに施し、この補正後の気体排出流量Ｑ′（＝Ｑ×補正関数ｆ（θ））を最終の測定結果とする。
【００８２】
この伝播角度θに関する補正について、本例では前述の如く平面視において排出口１からの気体排出方向Ｘ（屈折させた排出管上端部２ａの管軸芯方向）に対し排出口部で直交する方向Ｙの下方位置を測定場所３としていることから伝播角度θを求めるのに次のようにしている。
【００８３】
測定場所３において距離計測器５の先端計測端５ａを排出口１に向けた状態で伝播距離Ｌを計測する際に、距離計測器５の計測端５ａの仰角αを併せて計測する。
【００８４】
又は、測定場所３において測定器４の先端マイクロホン６ａを排出口１に向けた状態で伝播超音波Ｓの強度ｐを計測する際に、マイクロホン６ａの仰角αを併せて計測する。
【００８５】
一方、施設の配管図を参照するなどして排出口１からの気体Ｇの排出向きＸを調査し、この調査した気体排出向きＸと上記の計測仰角α（即ち、測定場所３への超音波伝播方向Ｙに相当）とに基づいて伝播角度θを求める。
【００８６】
そして、測定器４の表示部に測定結果として表示された気体排出流量Ｑに対し、この伝播角度θに応じた補正を加え、この補正後の気体排出流量Ｑ′（＝Ｑ×補正関数ｆ（θ））を最終の測定結果とする。
【００８７】
ここでは、測定器４の表示部に測定結果として表示された気体排出流量Ｑに対して伝播角度θに応じた補正を別途に施す例を示したが、これに代え、この補正と同等の機能を測定器４に備えさせてもよい。
【００８８】
つまり、前記測定器４において、記憶部７に記憶させる相関関係を、伝播超音波Ｓの強度ｐと伝播距離Ｌと伝播角度θと排出口１からの流体排出流量Ｑとの間に存在する相関関係Ｋｄにする。
【００８９】
また演算部８を、測定場所３で超音波計測部６により計測した超音波強度ｐと入力部としての操作部９に入力される伝播距離Ｌ及び伝播角度θとから、記憶部７に記憶の上記相関関係Ｋｄに基づいて排出口１からの気体排出流量Ｑを演算するものにする。
【００９０】
即ち、伝播角度θについて別途に補正を施す方式、あるいは、この補正と同等の機能を測定器４に備えさせる方式のいずれにしても、排出路２の端部に形成した排出口１から排出される流体Ｇの流量Ｑ′を測定する排出流量測定方法としては、
排出口１からの流体排出に伴い排出口部で発生して伝播する超音波Ｓの強度ｐを排出口１から離れた測定場所３でマイクロホン６ａを用いて計測し、
測定場所は平面視において排出口１からの流体排出方向Ｙに対し排出口部で直交する方向Ｙに位置する場所とし、
排出口１から測定場所３までの伝播距離Ｌを計測又は調査し、
排出口１からの流体排出方向Ｘを調査するとともに、マイクロホン６ａを測定場所３で排出口１に向けた状態でのマイクロホン６ａの仰角α、又は、排出口１までの距離Ｌ（即ち、伝播距離）を計測する距離計測器５の計測端５ａを測定場所３で排出口１に向けた状態での距離計測器５の仰角αを計測して、調査した流体排出方向Ｘと計測した仰角αとに基づき測定場所３への伝播超音波Ｓの伝播方向Ｙが排出口１からの流体排出方向Ｘに対して成す伝播角度θを求め、
そして、前記伝播超音波Ｓの強度と前記伝播距離Ｌと前記伝播角度θと前記排出口１からの流体排出流量Ｑとの間に存在する相関関係Ｋｄに基づいて、前記計測した超音波強度ｐと前記計測又は調査した伝播距離Ｌと前記求めた伝播角度θとから排出口１からの流体排出流量Ｑ′を求めるものである。
【００９１】
本例で示した測定器４は必要なモード変更処理を施せば、上述の如く排出口１からの気体排出流量Ｑを測定する本来の排出流量測定モードでの使用に換えて、図４に示す如く配管１０やタンクに生じたピンホールあるいは配管接続部における接続不良部分などの微小な流体漏洩部ｒを探索する漏洩部探索モードや、それら漏洩部ｒからの流体漏洩流量ｑを測定する漏洩流量測定モードでの使用が可能である。
【００９２】
つまり、漏洩部探索モードでは、測定器４のマイクロホン６ａの向き先を配管１０などに沿って徐々に移動させるように、測定器４を徐々に移動又は姿勢変化させながら漏洩部ｒでの流体漏洩に伴う発生超音波Ｓｒの強度ｐｒを超音波計測部６により計測する。
【００９３】
そして、この移動又は姿勢変化による計測超音波強度ｐｒの変化を表示部における強度表示やイヤホン出力により確認して、この計測超音波強度ｐｒの変化パターン上で計測超音波強度ｐｒが最大となったときのマイクロンホン６ａの向き先に漏洩部ｒが存在する可能性が高いといった探索形態で、配管１０やタンクなどに存在する微小な漏洩部ｒを探索する。
【００９４】
また、漏洩流量測定モードでは、測定器４のマイクロホン６ａを配管１０やタンクなどにおける漏洩部ｒに向けた状態でその漏洩部ｒでの流体漏洩に伴う発生超音波Ｓｒの強度ｐｒを超音波計測部６により計測する。
【００９５】
そして、記憶部７に記憶させてある漏洩流量演算用の相関関係Ｋｒ（即ち、漏洩部発生超音波Ｓｒの強度ｐｒと漏洩流量ｑとの間に存在する相関関係）に基づいて計測超音波強度ｐｒから漏洩部ｒにおける流体漏洩流量ｑを演算部８に演算させ、その演算した流体漏洩流量ｑを測定結果として表示部に表示させる。
【００９６】
必要なモード変更処理は選択モードの実施条件等によって異なるが、超音波計測部６の計測感度や計測周波数帯の変更、演算部８の演算プログラムの変更、記憶部７の記憶情報の変更、装置の一部ハード構成の交換などがある。
【００９７】
〔別実施形態〕
次に本発明の別実施形態を列記する。
【００９８】
前述の実施形態では排出口１から測定場所３までの伝播距離Ｌの異なりにも柔軟に対応できて、測定場所３を伝播距離Ｌに拘束されずに決定できる例を示したが、伝播距離Ｌを一定距離に規定して実施する簡易型の排出流量測定装置とする場合、測定器４の記憶部７及び演算部８を次のように変更してもよい。
【００９９】
記憶部７には、伝播超音波Ｓの測定場所３での強度ｐと伝播角度θと排出口１からの気体排出流量Ｑとの間に存在する相関関係Ｋｃを記憶させる。
【０１００】
そして、演算部８は、測定場所３において超音波計測部６により計測した超音波強度ｐと入力部に入力される伝播角度θとから、記憶部７に記憶の上記相関関係Ｋｃに基づいて排出口１からの気体排出流量Ｑを演算し、その演算した気体排出流量Ｑを測定結果として表示部に表示するものにする。
【０１０１】
つまり、この場合、排出路２の端部に形成した排出口１から排出される流体Ｇの流量Ｑを測定する排出流量測定方法としては、
排出口１からの流体排出に伴い排出口部で発生して伝播する超音波Ｓの強度ｐを排出口１から離れた測定場所３でマイクロホン６ａを用いて計測し、
測定場所は平面視において排出口１からの流体排出方向Ｙに対し排出口部で直交する方向Ｙに位置する場所とし、
排出口１からの流体排出方向Ｘを調査するとともに、マイクロホン６ａを測定場所３で排出口１に向けた状態でのマイクロホン６ａの仰角αを計測して、調査した流体排出方向Ｘと計測した仰角αとに基づき測定場所３への伝播超音波Ｓの伝播方向Ｙが排出口１からの流体排出方向Ｘに対して成す伝播角度θを求め、
そして、前記伝播超音波Ｓの前記測定場所３での強度ｐと前記伝播角度θと前記排出口１からの流体排出流量Ｑとの間に存在する相関関係Ｋｃに基づいて、前記計測した超音波強度ｐと前記求めた伝播角度θとから排出口１からの流体排出流量Ｑを求めるものとなる。
【０１０２】
また、前記した参考測定装置１に相当するさらに簡易型の排出流量測定装置とする場合、測定器４の記憶部７及び演算部８を次のように変更することも考えられる。
【０１０３】
記憶部７には、伝播超音波Ｓの測定場所３での強度ｐと排出口１からの気体排出流量Ｑとの間に存在する相関関係Ｋａを記憶させる。
【０１０４】
そして、演算部８は、測定場所３において超音波計測部６により計測した超音波強度ｐから、記憶部７に記憶の上記相関関係Ｋａに基づいて排出口１からの気体排出流量Ｑを演算し、その演算した気体排出流量Ｑを測定結果として表示部に表示するものにする。
【０１０５】
つまり、この場合、排出路２の端部に形成した排出口１から排出される流体Ｇの流量Ｑを測定する排出流量測定方法としては、
排出口１からの流体排出に伴い排出口部で発生して伝播する超音波Ｓの強度ｐを排出口から離れた測定場所３で測定し、
そして、前記伝播超音波Ｓの前記測定場所３での強度ｐと排出口１からの流体排出流量Ｑとの間に存在する相関関係Ｋａに基づいて、排出口１からの流体排出流量Ｑを求めるものとなる（前記した参考測定方法１に該当）。
【０１０６】
測定装置の装置構成については、伝播距離Ｌを計測する距離計測手段を測定器４に一体的に装備した装置構成にしたり、伝播角度θやそれを求めるための参考角度を計測する角度計測手段を測定器４に一体的に装備した装置構成にしてもよい。
【０１０７】
また逆に、測定器４における超音波計測部６をその他の各部から分離した装置構成にするなどしてもよい。
【０１０８】
一つの排出流量測定装置のモード切り換えにより第３又は第４特徴構成の測定装置を選択的に現出できるようにしてもよい。
【０１０９】
排出流量測定装置は必ずしも漏洩部探索モードや漏洩流量測定モードなどへのモード切り換えを可能にする必要はなく、排出口からの流体排出流量を測定する排出流量測定モードの専用装置であってもよい。
【０１１０】
前述の実施形態で示した測定器４における超音波計測部６、記憶部７、演算部８、出力部としての表示部は、本発明の特徴構成で言う超音波計測手段、記憶手段、演算手段、出力手段に該当する。
【産業上の利用可能性】
【０１１１】
本発明による排出流量測定方法及び排出流量測定装置は、各種分野において排出口から排出される種々の流体の流量を測定するのに利用することができる。
【符号の説明】
【０１１２】
２          排出路
１          排出口
Ｇ          流体
Ｑ          流量
３          測定場所
Ｓ          伝播超音波
ｐ          超音波強度
Ｌ          伝播距離
Ｙ          伝播方向
Ｘ          流体排出方向
θ          伝播角度
Ｋａ〜Ｋｄ  相関関係
６ａ        マイクロホン
５ａ        距離計測器の計測端
６          超音波計測手段
７          記憶手段
８          演算手段
９          入力部
ｒ          漏洩部
Ｓｒ        漏洩部発生超音波
ｐｒ        超音波強度
ｑ          流体漏洩流量
α 仰角